【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
樹脂材料を含む第１の部材と樹脂材料を含む第２の部材とが接合されることで、液体吐出ヘッドに液体を供給する供給路が形成された液体供給部材であって、
前記供給路の内表面の少なくとも一部は、前記第１の部材と前記第２の部材の成形後の樹脂の溶融により平滑化された平滑面である、ことを特徴とする液体供給部材。
【請求項２】
前記第１の部材は、レーザー光に対して吸収性を有し、
前記第２の部材は、レーザー光に対して透過性を有し、前記供給路に連通し、前記第１の部材と前記第２の部材との接合面に沿う開口を備えており、
前記平滑面は、前記第１の部材の、前記供給路の内表面の、前記開口に対応する部分に形成されている、請求項１に記載の液体供給部材。
【請求項３】
前記平滑面は、前記第１の部材の、前記接合面に垂直な方向に関して前記接合面とは異なる面に形成されている、請求項２に記載の液体供給部材。
【請求項４】
前記第２の部材は、前記供給路と前記開口とを連通する開口路を備えており、前記開口路は、前記供給路から離れるにつれて断面積が大きくなるテーパ部を備えている、請求項２または請求項３に記載の液体供給部材。
【請求項５】
樹脂材料を含み、レーザー光に対して吸収性を有する第１の部材と、樹脂材料を含み、レーザー光に対して透過性を有する第２の部材とが接合されることで、液体吐出ヘッドに液体を供給する供給路が形成された液体供給部材であって、
前記第２の部材は、前記供給路に連通し、前記第１の部材と前記第２の部材との接合面に沿う開口を備えており、
前記第１の部材の、前記供給路の内表面の、前記開口に対応する部分は、前記第１の部材の、前記供給路の前記内表面の、前記開口に対応する部分以外の部分と比べて滑らかであることを特徴とする液体供給部材。
【請求項６】
前記第１の部材の、前記供給路の内表面の、前記開口に対応する部分は、前記接合面に垂直な方向に関して前記接合面とは異なる面に形成されている、請求項５に記載の液体供給部材。
【請求項７】
液体を吐出する吐出口と、該吐出口に液体を供給する供給路を有する液体供給部材と、を有する液体吐出ヘッドであって、
前記液体供給部材は、樹脂材料を含む第１の部材と、樹脂材料を含む第２の部材とが接合されることで前記供給路が形成されており、
前記供給路の内表面の少なくとも一部は、前記第１の部材と前記第２の部材の成形後の樹脂の溶融により平滑化された平滑面である、ことを特徴とする液体吐出ヘッド。
【請求項８】
樹脂材料を含む第１の部材と、樹脂材料を含む第２の部材と、を備え、前記第１の部材および前記第２の部材の少なくともいずれか一方は、液体吐出ヘッドに液体を供給する供給路となる溝を有する液体供給部材の製造方法であって、
前記溝を内側にして前記第１の部材と前記第２の部材とを接合することによって、前記供給路を形成する形成工程を有し、
前記形成工程の前または前記形成工程中に、前記第１の部材および前記第２の部材のうち、前記供給路の内表面となる部分の少なくとも一部を溶融し、成形された前記第１の部材および前記第２の部材の面よりも滑らかである平滑面を形成する、ことを特徴とする液体供給部材の製造方法。
【請求項９】
前記平滑面は、前記形成工程の前に、前記第１の部材および前記第２の部材の少なくともいずれか一方の前記供給路の内表面となる面を加熱することによって形成される、請求項８に記載の液体供給部材の製造方法。
【請求項１０】
前記第１の部材はレーザー光に対して吸収性を有し、前記第２の部材はレーザー光に対して透過性を有し、前記平滑面は、前記第２の部材の側から前記第１の部材にレーザー光を照射することによって、前記形成工程中に形成される、請求項８に記載の液体供給部材の製造方法。
【請求項１１】
前記第２の部材は、前記供給路に連通し、前記第１の部材と前記第２の部材との接合面に沿う開口を備えており、前記平滑面は、前記第１の部材の、前記供給路の内表面の、前記開口に対応する部分に形成される、請求項１０に記載の液体供給部材の製造方法。
【請求項１２】
前記平滑面は、前記第１の部材の、前記接合面に垂直な方向に関して前記接合面とは異なる面に形成される、請求項１１に記載の液体供給部材の製造方法。
【請求項１３】
液体を吐出する吐出口と、該吐出口に液体を供給する供給路を有する液体供給部材と、を有する液体吐出ヘッドの製造方法であって、
前記液体供給部材は、樹脂材料を含む第１の部材と、樹脂材料を含む第２の部材と、を備え、前記第１の部材および前記第２の部材の少なくともいずれか一方は液体を吐出する吐出口に液体を供給する供給路となる溝を有しており、
前記溝を内側にして前記第１の部材と前記第２の部材とを接合することによって、前記供給路を形成する形成工程を有し、
前記形成工程の前または前記形成工程中に、前記第１の部材および前記第２の部材のうち、前記供給路の内表面となる部分の少なくとも一部を溶融し、成形された前記第１の部材および前記第２の部材の面よりも滑らかである平滑面を形成する、ことを特徴とする液体吐出ヘッドの製造方法。
【手続補正２】
【補正対象書類名】明細書
【補正対象項目名】００１１
【補正方法】変更
【補正の内容】
【００１１】
上記目的を達成するための本発明による液体供給部材は、樹脂材料を含む第１の部材と樹脂材料を含む第２の部材とが接合されることで、液体吐出ヘッドに液体を供給する供給路が形成された液体供給部材であって、前記供給路の内表面の少なくとも一部は、前記第１の部材と前記第２の部材の成形後の樹脂の溶融により平滑された平滑面である、ことを特徴とする。また、本発明の他の液体供給部材は、樹脂材料を含み、レーザー光に対して吸収性を有する第１の部材と、樹脂材料を含み、レーザー光に対して透過性を有する第２の部材とが接合されることで、液体吐出ヘッドに液体を供給する供給路が形成された液体供給部材であって、前記第２の部材は、前記供給路に連通し、前記第１の部材と前記第２の部材との接合面に沿う開口を備えており、前記第１の部材の、前記供給路の内表面の、前記開口に対応する部分は、前記第１の部材の、前記供給路の前記内表面の、前記開口に対応する部分以外の部分と比べて滑らかであることを特徴とする。
【手続補正３】
【補正対象書類名】明細書
【補正対象項目名】００１２
【補正方法】変更
【補正の内容】
【００１２】
また、上記目的を達成するための本発明による液体供給部材の製造方法は、樹脂材料を含む第１の部材と、樹脂材料を含む第２の部材と、を備え、前記第１の部材および前記第２の部材の少なくともいずれか一方は、液体吐出ヘッドに液体を供給する供給路となる溝を有する液体供給部材の製造方法であって、前記溝を内側にして前記第１の部材と前記第２の部材とを接合することによって、前記供給路を形成する形成工程を有し、前記形成工程の前または前記形成工程中に、前記第１の部材および前記第２の部材のうち、前記供給路の内表面となる部分の少なくとも一部を溶融し、成形された前記第１の部材および前記第２の部材の面よりも滑らかである平滑面を形成する、ことを特徴とする。
【手続補正４】
【補正対象書類名】明細書
【補正対象項目名】００１３
【補正方法】変更
【補正の内容】
【００１３】
また、上記目的を達成するための本発明による液体吐出ヘッドは、液体を吐出する吐出口と、該吐出口に液体を供給する供給路を有する液体供給部材と、を有する液体吐出ヘッドであって、前記液体供給部材は、樹脂材料を含む第１の部材と、樹脂材料を含む第２の部材とが接合されることで前記供給路が形成されており、前記供給路の内表面の少なくとも一部は、前記第１の部材と前記第２の部材の成形後の樹脂の溶融により平滑化された平滑面である、ことを特徴とする。
【手続補正５】
【補正対象書類名】明細書
【補正対象項目名】００１４
【補正方法】変更
【補正の内容】
【００１４】
また、上記目的を達成するための本発明による液体吐出ヘッドの製造方法は、液体を吐出する吐出口と、該吐出口に液体を供給する供給路を有する液体供給部材と、を有する液体吐出ヘッドの製造方法であって、前記液体供給部材は、樹脂材料を含む第１の部材と、樹脂材料を含む第２の部材と、を備え、前記第１の部材および前記第２の部材の少なくともいずれか一方は液体を吐出する吐出口に液体を供給する供給路となる溝を有しており、前記溝を内側にして前記第１の部材と前記第２の部材とを接合することによって、前記供給路を形成する形成工程を有し、前記形成工程の前または前記形成工程中に、前記第１の部材および前記第２の部材のうち、前記供給路の内表面となる部分の少なくとも一部を溶融し、成形された前記第１の部材および前記第２の部材の面よりも滑らかである平滑面を形成する、ことを特徴とする。